(57)【要約】【課題】所定の部材を締結する締結具の締め付け忘れを防ぎ、所定のトルク値まで確実に締結具を締め付けることができるラチェットレンチの提供。【解決手段】本発明は、所定の部材を締結するボルト１８の保持が可能なソケット８に嵌合され、一方向の回転力を伝える嵌合凸部９を有するラチェット部１０と、このラチェット部１０を把持するラチェット把持部１とを備え、ラチェット把持部１を反復回転運動させることによりボルト１８を締め付けるラチェットレンチにおいて、ソケット８を介してボルト１８に与えられるトルクを所定のトルク値に設定するトルク調整ばね４及びトグル機構６等を含むトルク値設定手段と、ソケット８を介してボルト１８に与えられるトルクが所定のトルク値に至ったとき、ソケット８によるボルト１８の保持を解除させる蹴り金具１１及び回転軸１２等を含む解除手段とを備えている。【選択図】図２
2016036887.tif 000002
【特許請求の範囲】
【請求項１】
所定の部材を締結する締結具の保持が可能なソケットに嵌合され、一方向の回転力を伝える嵌合凸部を有するラチェット部と、このラチェット部を把持するラチェット把持部とを備え、前記ラチェット把持部を反復回転運動させることにより前記ラチェット部の前記嵌合凸部を一方向に回転させ、これに応じて前記ソケットを前記一方向に回転させて、前記締結具を締め付けるラチェットレンチにおいて、
前記ソケットを介して前記締結具に与えられるトルクを所定のトルク値に設定するトルク値設定手段と、
前記ソケットを介して前記締結具に与えられるトルクが前記所定のトルク値に至ったとき、前記ソケットによる前記締結具の保持を解除させる解除手段とを備えたことを特徴とするラチェットレンチ。
【請求項２】
請求項１に記載のラチェットレンチにおいて、
前記トルク値設定手段は、
前記ラチェット把持部の端部に設けられ、回転可能なノブと、
前記ノブの回転によりラチェット把持部の長手方向に摺動可能なスライド軸と、
前記スライド軸に一端側が係着されるトルク調整ばねと、
前記トルク調整ばねの他端側が係着される押圧体と、
前記ラチェット部を保持するラチェット保持部と、
前記押圧体と前記ラチェット保持部とを連結するトグル機構とを含み、
前記ラチェット把持部を中空体に形成し、このラチェット把持部内に、前記スライド軸、前記トルク調整ばね、前記押圧体、前記ラチェット保持部、及び前記トグル機構を配置したことを特徴とするラチェットレンチ。
【請求項３】
請求項２に記載のラチェットレンチにおいて、
前記解除手段は、
前記締結具を押圧して前記ソケットによる前記締結具の保持を解除させる解除棒と、
前記解除させる力を前記解除棒に付与する解除ばねと、
前記所定のトルク値に至らない間は、前記解除棒による解除操作を阻止し、前記所定のトルク値に至ったときに、前記解除棒による解除操作を実行させる解除操作制御手段とを含み、
前記解除棒及び前記解除ばねを前記ラチェット部に配置したことを特徴とするラチェットレンチ。
【請求項４】
請求項３に記載のラチェットレンチにおいて、
前記解除操作制御手段は、
支点を中心に平面内を回転可能に設けられ、前記所定のトルク値に至らない間は前記解除棒に係合し、前記解除ばねの力に抗して前記解除棒を係止させる回転軸と、
前記所定のトルク値に至ったときに、前記ラチェット保持部によって回動して、前記回転軸を前記解除棒との係合を解除するように回転させる蹴り金具とを含み、
前記支点を含む前記回転軸を前記ラチェット部に配置し、前記蹴り金具を、前記ラチェット把持部と前記ラチェット部とにわたって配置したことを特徴とするラチェットレンチ。
【請求項５】
請求項４に記載のラチェットレンチにおいて、
前記ソケットは、嵌挿された前記締結具を吸着保持する磁石を有することを特徴とするラチェットレンチ。
【発明の詳細な説明】
【技術分野】
【０００１】
本発明は、所定の部材を締結するボルトやナット等の締結具を締め付ける締結工具を構成するラチェットレンチに関する。
【背景技術】
【０００２】
従来、所定の部材を締結するボルト、あるいはナット等の締結具を締め付ける締結工具として種々の物が提案されている。例えば締結工具であるソケットレンチは、一つのハンドルに締結具のサイズや形状に応じたソケットを組み合わせることができる利便性の高い工具であり、ハンドル側に設けられた凸部軸とソケット側に設けられた凹型受口孔とを嵌合することで連結され、受口孔の反対側に設けた収容孔にボルトの頭部やナットを収容した状態で、ハンドルを回転させることにより、ボルトやナットを締め付けたり、緩めたりすることができる。
【０００３】
また締結工具として、約１／２回転以下の回転運動を反復させるだけで、締結具に一方向の回転運動を行わせるラチェットレンチがある。このようなラチェットレンチにおいて、回転時における回転力が所定の力を超えるとき、この回転を停止させる回転調整部を設けることにより過剰な力が締結具に加えられないようにしたものが知られている（特許文献１参照）。
【０００４】
また締結工具として、回転すべき部材に、設定したトルク値を超えた負荷がかかると、嵌合凸部がコイルスプリングの弾発力に抗して、嵌合凹部から外れるトルク保持解除により、設定値を超えたトルクが回転すべき部材に伝達されないようにしたラチェットレンチが知られている（特許文献２参照）。
【０００５】
また締結工具として、ソケットレンチのボルト収容部に永久磁石を設け、ボルトやナット等の締結具を脱落させることなく保持して螺着させるものなどが知られている（特許文献３参照）。
【先行技術文献】
【特許文献】
【０００６】
【特許文献１】特開平１１−７６２６５号公報
【特許文献２】特許第４２６６１３２号公報
【特許文献３】特開平９−１０９０４５号公報
【発明の概要】
【発明が解決しようとする課題】
【０００７】
ところで、前述した従来技術を用いてボルト、ナット等の締結具の締め付け作業を実施する際に、締め付け作業を行う作業者が予め設定された所定のトルク値に至らない状態で、例えば発生した外乱により締め付け作業を中断し、その後に締め付け作業を忘れ、所定のトルク値に至らないまま締め付け作業を終えてしまうことが起こり得る。このように所定のトルク値までの締め付け作業が行われない場合には、締め付け作業に関連した機器等の破損を招く虞がある。
【０００８】
例えば、エスカレータの踏面において、締結されるべき箇所のボルトが所定のトルク値まで締め付けられない場合には、踏面が浮き上がり、踏面が機械室内に進入する際に、進入口と衝突し、踏面の破損、あるいは機械室の進入口の破損を招くことがある。
【０００９】
本発明は、前述した従来技術における実情からなされたもので、その目的は、所定の部材を締結する締結具の締め付け忘れを防ぎ、所定のトルク値まで確実に締結具を締め付けることができるラチェットレンチを提供することにある。
【課題を解決するための手段】
【００１０】
前記目的を達成するために、本発明に係るラチェットレンチは、所定の部材を締結する締結具の保持が可能なソケットに嵌合され、一方向の回転力を伝える嵌合凸部を有するラチェット部と、このラチェット部を把持するラチェット把持部とを備え、前記ラチェット把持部を反復回転運動させることにより前記ラチェット部の前記嵌合凸部を一方向に回転させ、これに応じて前記ソケットを前記一方向に回転させて、前記締結具を締め付けるラチェットレンチにおいて、前記ソケットを介して前記締結具に与えられるトルクを所定のトルク値に設定するトルク値設定手段と、前記ソケットを介して前記締結具に与えられるトルクが前記所定のトルク値に至ったとき、前記ソケットによる前記締結具の保持を解除させる解除手段とを備えたことを特徴としている。
【発明の効果】
【００１１】
本発明に係るラチェットレンチは、締め付けられる締結具に与えられるトルクがトルク値設定手段で設定される所定のトルク値に至らない間は、締結具がソケットに保持された状態となり、所定のトルク値に至ったときに、解除手段によってソケットによる締結具の保持が解除される。したがって、外乱等により締め付け作業が中断した後であっても、締結具がソケットに保持されている状態となっていれば、締結具に対する締め付けがまだ足りない状態であると当該ラチェットレンチを取り扱う作業者に認識させることができる。すなわち本発明は、所定の部材を締結する締結具の締め付け忘れを防ぎ、所定のトルク値まで確実に締結具を締め付けることができる。これにより本発明は、従来から懸念されていた締結具による締め付け作業に関連した機器等の破損を防止することができ、信頼性の高いラチェットレンチを実現させることができる。
【図面の簡単な説明】
【００１２】
【図１】本発明に係るラチェットレンチの一実施形態の構成を示す平面図で、所定のトルク値に至らない状態を示す平面図である。
【図２】図１に対応する本実施形態に備えられるラチェット部の要部拡大側面図である。
【図３】本実施形態の構成を示す平面図で、所定のトルク値に至ったときの状態を示す平面図である。
【図４】図３に対応する本実施形態に備えられるラチェット部の要部拡大側面図である。
【発明を実施するための形態】
【００１３】
以下、本発明に係るラチェットレンチの実施の形態を図面に基づいて説明する。
【００１４】
図１は、本発明に係るラチェットレンチの一実施形態の構成を示す平面図で、所定のトルク値に至らない状態を示す平面図、図２は、図１に対応する本実施形態に備えられるラチェット部の要部拡大側面図である。
【００１５】
これらの図１，２に示すように、本実施形態に係るラチェットレンチは、所定の部材を締結する締結具、例えばボルト１８の頭部１８ａの保持が可能なソケット８に嵌合され、一方向の回転力を伝える嵌合凸部９を有するラチェット部１０と、このラチェット部１０を把持するラチェット把持部１とを備えている。このラチェット把持部１を反復回転運動させることによりラチェット部１０の嵌合凸部９を一方向に回転させ、これに応じてソケット８を一方向に回転させて、ボルト１８を締め付けるようになっている。
【００１６】
本実施形態に係るラチェットレンチは、ソケット８を介してボルト１８に与えられるトルクを所定のトルク値に設定するトルク値設定手段と、ソケット８を介してボルト１８に与えられるトルクが前述した所定のトルク値に至ったとき、ソケット８によるボルト１８の保持を解除させる解除手段とを備えている。
【００１７】
図１に示すように、前述したトルク値設定手段は、ラチェット把持部１の端部に設けられ、回転可能なノブ２と、このノブ２の回転によりラチェット把持部１の長手方向に摺動可能なスライド軸３と、このスライド軸３に一端側が係着されるトルク調整ばね４と、このトルク調整ばね４の他端側が係着される押圧体５と、ラチェット部１０を保持するラチェット保持部７と、押圧体５とラチェット保持部７とを連結するトグル機構６とを含んでいる。
【００１８】
ラチェット把持部１は中空体に形成してあり、このラチェット把持部１内に、スライド軸３、トルク調整ばね４、押圧体５、ラチェット保持部７、及びトグル機構６を配置してある。
【００１９】
図２に示すように、前述した解除手段は、ボルト１８を押圧してソケット８によるボルト１８の保持を解除させる解除棒１４と、解除させる力を解除棒１４に付与する解除ばね１９と、ボルト１８に与えられるトルクが所定のトルク値に至らない間は、解除棒１４による解除操作を阻止し、所定のトルク値に至ったときに、解除棒１４による解除操作を実行させる解除操作制御手段とを含んでいる。解除棒１４及び解除ばね１９はラチェット部１０に配置してある。
【００２０】
前述した解除操作制御手段は、図１，２に示すように、支点１３を中心に平面内を回転可能に設けられ、所定のトルク値に至らない間は解除棒１４の切り欠き部１５に係合し、解除ばね１９の力に抗して解除棒１４を移動しないように係止させる回転軸１２と、所定のトルク値に至ったときに、ラチェット保持部７によって回動して、回転軸１２の端部と解除棒１４の切り欠き部１５との係合を解除するように回転軸１２を回転させる蹴り金具１１とを含んでいる。支点１３を含む回転軸１２をラチェット部１０に配置し、蹴り金具１１を、ラチェット把持部１とラチェット部１０とにわたって配置してある。
【００２１】
また本実施形態は、図２に示すように、ソケット８が、嵌挿されたボルト１８の頭部１８ａを吸着保持する磁石１６を有している。ソケット８、及び磁石１６の解除棒１４の下端のそれぞれに対向する箇所には、解除棒１４の挿入が可能な貫通穴１７を形成してある。
【００２２】
このように構成した本実施形態に係るラチェットレンチを用いて、所定の部材をボルト１８で締結するに際しては、図１，２に示すように、ラチェット部１０の嵌合凸部９にソケット８の嵌合穴を嵌合させるようにしてラチェット部１０にソケット８を装着させた状態にして、本実施形態に係るラチェットレンチを、ソケット８内にボルト１８の頭部１８ａを嵌入させるようにして配置する。これにより、ボルト１８の頭部１８ａは、ソケット８内に設けた磁石１６に吸着され、ボルト１８はソケット８に保持される。ボルト１８に対する所定のトルク値の調整は、ノブ２を回転させてスライド軸３を摺動させてトルク調整ばね４の付勢力を調整することにより行われる。
【００２３】
前述した状態にあっては、トグル機構６を介してラチェット保持部７は、蹴り金具１１に係合しないように保たれ、解除棒１４は解除ばね１９の力に抗してラチェット部１０内に押し込まれ、解除棒１４の切り欠き部１５に回転軸１２の端部が係合した状態に保たれる。
【００２４】
この状態において、ラチェット把持部１を繰り返し反復回転させると、一方向の回転力がラチェット部１０、嵌合凸部９を介してソケット８に伝えられ、ボルト１８の締め付けが行われる。このボルト１８の締め付け作業の間、ボルト１８に与えられるトルクが所定のトルク値に至らない状態では、ボルト１８の頭部１８ａがソケット８内の磁石１６に吸着保持されるので、ラチェット把持部１をボルト１８から簡単には離脱させることができない。したがって、ボルト１８に与えられるトルクが所定のトルク値に至っていない間は、外乱等によりボルト１８の締め付け作業が中断した後であっても、前述した状態のまま保たれる。
【００２５】
ボルト１８に与えられるトルクが所定のトルク値に至ると、トグル機構６が作動して押圧体５に対してラチェット保持部７を変位させる。これによりラチェット保持部７が蹴り金具１１を回動させ、この蹴り金具１１によって回転軸１２が支点１３を中心にして回転し、回転軸１２の端部と解除棒１４の切り欠き部１５との係合が解かれる。したがって、図３，４に示すように、解除ばね１９の力により解除棒１４は、ソケット８及び磁石１６に形成した貫通穴１７内に押し込まれ、ボルト１８の頭部１８ａに対する解除棒１４の押圧力により、ラチェット部１０を含むラチェット把持部１、及び磁石１６を有するソケット８が、ボルト１８の頭部１８ａから浮き上がる状態となる。これにより、ボルト１８に所定のトルク値を超えた過度のトルクが与えられないようにすることができる。また、ラチェット部１０を含むラチェット把持部１をボルト１８から簡単に離脱させることができる。
【００２６】
前述したように本実施形態に係るラチェットレンチは、締め付けられるボルト１８に与えられるトルクが、トルク調整ばね４、トグル機構６等を含むトルク値設定手段で設定される所定のトルク値に至らない間は、ボルト１８がソケット８内に設けた磁石１６に吸着保持された状態となり、所定のトルク値に至ったときに、蹴り金具１１、回転軸１２等を含む解除手段によってソケット８内の磁石１６によるボルト１８の吸着保持が解除される。したがって、外乱等により締め付け作業が中断した後であっても、ボルト１８がソケット８内の磁石１６に吸着保持されていて、ラチェット部１０を含むラチェット把持部１を簡単には離脱させられない状態となっていれば、ボルト１８に対する締め付けがまだ足りない状態であると当該本実施形態に係るラチェットレンチを取り扱う作業者に認識させることができる。
【００２７】
すなわち本実施形態は、所定の部材を締結するボルト１８の締め付け忘れを防ぎ、所定のトルク値まで確実にボルト１８を締め付けることができる。これにより本実施形態は、ボルト１８による締め付け作業に関連した機器等の破損を防止することができ、信頼性の高いラチェットレンチを実現させることができる。
【００２８】
なお、前述した実施形態では、ソケット８に嵌着され、所定の部材を締結する締結具としてボルト１８を挙げたが、締結具はナットであってもよい。また、ボルト１８及びナットとは形状が異なるものであっても、ソケット８に嵌着され、磁石１６によって吸着保持可能であって、所定の部材を締結するものであれば、本実施形態に係るラチェットレンチを用いて締め付け作業を行うことができる。
【符号の説明】
【００２９】
１    ラチェット把持部
２    ノブ
３    スライド軸
４    トルク調整ばね
５    押圧体
６    トグル機構
７    ラチェット保持部
８    ソケット
９    嵌合凸部
１０    ラチェット部
１１    蹴り金具
１２    回転軸
１３    支点
１４    解除棒
１５    切り欠き部
１６    磁石
１７    貫通穴
１８    ボルト（締結具）
１８ａ  頭部
１９    解除ばね
【図１】
2016036887.tif 000003
【図２】
2016036887.tif 000004
【図３】
2016036887.tif 000005
【図４】
2016036887.tif 000006